(57)【要約】【課題】扉開成平均時間を表示することによって節電のための啓蒙が的確に行え、結果的に省エネルギー性を高めることができる冷蔵庫を提供する。【解決手段】貯蔵室を有する冷蔵庫本体と、前記貯蔵室を開閉する扉と、前記扉の開閉を検出する扉開閉検出部２３と、前記扉開閉検出部で検出した扉開成の扉開成累計時間を扉開閉回数で除して扉開成平均時間を算出する扉開成平均時間算出部２８ａと、扉開成平均時間算出部で算出した扉開成平均時間を報知する報知手段３９とを備え、前記報知手段によって扉開成平均時間を報知する構成としてある。これにより、使用者は圧縮機の起動に直結する扉開成平均時間を的確に知ることができ、従い使用者による節電行動が的確なものとなって節電に直結し、冷蔵庫の省エネ性を向上させることができる。【選択図】図５
2013238346.tif 000002
【特許請求の範囲】
【請求項１】
貯蔵室を有する冷蔵庫本体と、前記貯蔵室を開閉する扉と、前記扉の開閉を検出する扉開閉検出部と、前記扉開閉検出部で検出した扉開成の扉開成累計時間を扉開閉回数で除して扉開成平均時間を算出する扉開成平均時間算出部と、扉開成平均時間算出部で算出した扉開成平均時間を報知する報知手段とを備え、前記報知手段によって扉開成平均時間を報知する冷蔵庫。
【請求項２】
扉開閉検出部で検出した扉開閉回数を記憶する扉開閉扉開閉回数記憶部を更に備え、報知部は扉開成平均時間とともに前記扉開閉扉開閉回数記憶部からの扉開閉回数をも報知する請求項１記載の冷蔵庫。
【請求項３】
扉開閉検出部で検出した扉開成累計時間を記憶する扉開成累計扉開成時間記憶部を更に備え、報知部は扉開成平均時間とともに前記扉開成累計扉開成時間記憶部からの扉開成累計時間をも報知する構成とした請求項１または２記載の冷蔵庫。
【請求項４】
前日の扉開成平均時間を記憶する前日データ記憶部を更に備え、報知手段は少なくとも前日との比較で扉開成平均時間を報知する構成とした請求項１〜３のいずれか１項記載の冷蔵庫。
【請求項５】
前日データ記憶部は前日の扉開成平均時間とともに扉開閉回数／扉開成累計時間のいずれか一つ若くしは双方を記憶する構成とし、報知手段は少なくとも前日との比較で扉開成平均時間と扉開閉回数／扉開成累計時間のいずれか一つ若くしは双方を報知する構成とした請求項４記載の冷蔵庫。
【請求項６】
少なくとも扉開閉平均時間を時間帯ごとに区分けして記憶させる時間帯区分け部を更に備え、報知手段は前記時間帯区分け部で区分けして記憶した扉開閉平均時間を時間帯ごとに報知する構成とした請求項１〜５のいずれか１項記載の冷蔵庫。
【請求項７】
扉開成平均時間のデータを出力する出力部を、携帯電話等の表示部を備えた携帯端末と近距離データ通信可能な無線送受信部で構成するとともに、携帯端末の表示部を前記扉開成平均時間の報知手段とした請求項１〜６のいずれか１項記載の冷蔵庫。
【請求項８】
携帯端末はインターネット回線と通信可能に構成し、扉開成平均時間をインターネット回線に接続されたパーソナルコンピュータ等の端末機に表示させる構成とした請求項７記載の冷蔵庫。
【発明の詳細な説明】
【技術分野】
【０００１】
本発明は省エネルギー性の高い冷蔵庫に関するものである。
【背景技術】
【０００２】
一般に冷蔵庫は家庭の中で占める電力の使用割合が高く、その使用電力を可能な限り抑えることが強く要請されている。そのため、例えば使用者が扉開閉をほとんど行わない夜中等には庫内設定温度を自動的に上げるなどして使用電力量を抑えるようにしたものが提案されている。
【０００３】
また、冷蔵庫の扉開閉によって使用される電力が結構多いため、これを抑えるべく扉の開閉回数や時間等を計測し、この扉開閉回数や時間が所定回数あるいは所定時間以上になると表示装置にその旨を表示したり、警告音を出すように構成し、使用者に扉開閉による電力使用量の増加を知らせて、扉開閉回数を少なくし、電力使用量を抑えるように啓蒙できる構成のものがみられる（例えば、特許文献１参照）。
【０００４】
図９はこの特許文献１に記載された冷蔵庫を示し、扉開閉検出部１０１で扉１０２の開閉回数を計測し、その扉開閉回数を回数カウント手段１０３でカウントして制御手段１０４がこの回数と扉開閉回数記憶手段１０５に記憶されている設定回数あるいは前日の回数とを比較し、扉開閉回数が記憶回数以上になると、これを扉１０２に設けた表示装置１０６に表示し、使用者に扉開閉回数が多くなっていることを知らせ、扉開閉回数を少なくするよう啓蒙する構成となっている。
【先行技術文献】
【特許文献】
【０００５】
【特許文献１】特開２００２−１４７９３０号公報
【発明の概要】
【発明が解決しようとする課題】
【０００６】
上記従来の構成によると、扉開閉回数あるいは扉開成時間が所定時間以上になると使用者はこれを知ることができるので、以降の扉開閉を意識して少なくしようとする節電行動をとることになり、省エネ化が推進できる。
【０００７】
しかしながら、昨今の厳しい電力事情の関係から、前記従来の扉開閉回数あるいは扉開成累計時間を報知して節電啓蒙を行う技術を実証確認してみると、さらなる節電促進を図ることができる余地があることを見出した。
【０００８】
すなわち、前記扉開閉回数あるいは扉開成累計時間を使用者に知らせるのは、この扉の開閉によって庫内温度が上昇し圧縮機が運転を開始するため消費電力が増大するのを抑制するためであるが、圧縮機の運転が単なる扉開閉回数や単なる扉開成累計時間と必ずしも連動しておらず、従来の技術では使用者に適切な節電啓蒙を行うことができていないと推測される。
【０００９】
例えば使用者による扉開閉回数が多かったとしても、一回当たりの開成時間が短いと圧縮機の負荷は小さくて圧縮機が起動し運転することが少なく、また、扉開成累計時間が多くても、単位当たりの扉開成時間が短い時の累計時間であれば上記の如く圧縮機が起動し運転することが少ない。逆に扉開閉回数が少なくても、一回の扉開成時間が長いと圧縮機は必ず起動して運転することになる。特に引出式の扉を備えた冷凍室や野菜室の場合には
、引出式の扉を開くことによって冷凍室や野菜室内の食品がすべて冷蔵庫外まで引き出されて露出し、長く開放されていると、引き出された冷凍室や野菜室内部に外部の暖気が流入して食品温度が上昇するなど冷却負荷が大きく増大してしまう。その結果圧縮機が起動するだけでなく当該圧縮機の駆動時間が長時間化し、節電どころか逆に電力消費量が増大してしまう。よって、単なる扉開閉回数や扉開成累計時間を知らせているだけでは節電効果が少なく、１回たりの扉開成時間を短くする行動をとるような情報を知らせることが重要である。
【００１０】
このように圧縮機の運転が単なる扉開閉回数や扉開成累計時間と必ずしも連動していないことから、従来の単なる扉開閉回数あるいは扉開成累計時間を使用者に知らせものでは使用者に適切な節電啓蒙を行うことができていなかったのである。
【００１１】
本発明はこのような点に着目してなしたもので、節電のための啓蒙が的確に行え、結果的に省エネルギー性を高めることができる冷蔵庫を提供するものである。
【課題を解決するための手段】
【００１２】
前記従来の課題を解決するために、本発明は、貯蔵室を有する冷蔵庫本体と、前記貯蔵室を開閉する扉と、前記扉の開閉を検出する扉開閉検出部と、前記扉開閉検出部で検出した扉開成の扉開成累計時間を扉開閉回数で除して扉開成平均時間を算出する扉開成平均時間算出部と、扉開成平均時間算出部で算出した扉開成平均時間を報知する報知手段とを備え、前記報知手段によって扉開成平均時間を報知する構成としてある。
【００１３】
これにより、使用者は圧縮機の起動に直結する扉開成平均時間を的確に知ることができ、従い使用者による節電行動が的確なものとなって節電に直結し、冷蔵庫の省エネ性を向上させることができる。また、使用者の節電行動は一回当たりの扉開成時間を短くする行動をとる傾向になっていき、その結果、使用者は食品の取り出し機会を無理やり少なくすることなく節電を推進することができ、使用性を維持しつつ省エネを図ることができる。
【発明の効果】
【００１４】
本発明は、節電に直結する情報を使用者に報知して的確な節電啓蒙が可能となり、使用者が行う節電行動も的確なものとなって、効果的に節電を図ることが可能となり、使用性を維持しつつ省エネルギー性の高い冷蔵庫とすることができる。
【図面の簡単な説明】
【００１５】
【図１】本発明の実施の形態１における冷蔵庫の使用状態を示す正面図
【図２】同冷蔵庫の概略断面図
【図３】同冷蔵庫の概略平面断面図
【図４】同冷蔵庫の操作部を示す正面図
【図５】同冷蔵庫の冷蔵庫制御部と携帯端末の携帯制御部を示す制御ブロック図
【図６】同冷蔵庫の冷蔵庫制御部と携帯端末の携帯制御部における動作を説明するフローチャート
【図７】同実施の形態２における冷蔵庫の冷蔵庫制御部と携帯端末の携帯制御部を示す制御ブロック図
【図８】同実施の形態３における冷蔵庫の説明図
【図９】従来の冷蔵庫を示す説明図
【発明を実施するための形態】
【００１６】
第１の発明は、貯蔵室を有する冷蔵庫本体と、前記貯蔵室を開閉する扉と、前記扉の開閉を検出する扉開閉検出部と、前記扉開閉検出部で検出した扉開成の扉開成累計時間を扉開閉回数で除して扉開成平均時間を算出する扉開成平均時間算出部と、扉開成平均時間算
出部で算出した扉開成平均時間を報知する報知手段とを備え、前記報知手段によって扉開成平均時間を報知する構成としてある。
【００１７】
これにより、使用者は圧縮機の起動に直結する扉開成平均時間を的確に知ることができ、従い使用者による節電行動が的確なものとなって節電に直結し、冷蔵庫の省エネ性を向上させることができる。また、使用者の節電行動は一回当たりの扉開成時間を短くする行動をとる傾向になっていき、その結果、使用者は食品の取り出し機会を無理やり少なくすることなく節電を推進することができ、使用性を維持しつつ省エネを図ることができる。
【００１８】
第２の発明は、第１の発明において、扉開閉検出部で検出した扉開閉回数を記憶する扉開閉回数記憶部を更に備え、報知部は扉開成平均時間とともに前記扉開閉回数記憶部からの扉開閉回数をも報知する構成としてある。
【００１９】
これにより、使用者が扉開成平均時間とともに扉開閉回数も同時に知ることができて、使用者が扉開閉回数を少なくする方向の節電行動をとることも促進でき、より省エネ性を向上させることができる。
【００２０】
第３の発明は、第１または第２の発明において、扉開閉検出部で検出した扉開成累計時間を記憶する扉開成累計時間記憶部を更に備え、報知部は扉開成平均時間とともに扉開成累計時間記憶部からの扉開成累計時間を報知する構成としてある。
【００２１】
これにより、使用者が一日当たりの扉開成累計時間も知ることができて、扉開成累計時間を少なくする方向の節電行動をとることも促進でき、さらなる省エネ性の向上を図ることができる。
【００２２】
第４の発明は、第１〜第３の発明において、前日の扉開成平均時間を記憶する前日データ記憶部を更に備え、報知手段は少なくとも前日との比較で扉開成平均時間を報知する構成としてある。
【００２３】
これにより、扉開成平均時間を前日と比較して正確に知ることができ、より確実に節電行動に結びつけることができて、省エネルギー化を促進することができる。
【００２４】
第５の発明は、第４の発明において、前日データ記憶部は前日の扉開成平均時間とともに扉開閉回数／扉開成累計時間のいずれか一つ若くしは双方を記憶する構成とし、報知手段は少なくとも前日との比較で扉開成平均時間と扉開閉回数／扉開成累計時間のいずれか一つ若くしは双方を表示する構成としてある。
【００２５】
これにより、扉開成平均時間と扉開閉回数／扉開成累計時間のいずれか一つとを前日と比較して正確に知ることができ、前記第４発明以上に確実に節電行動に結びつけることができて、省エネルギー化を促進することができる。
【００２６】
第６の発明は、第１〜第５の発明において、少なくとも扉開閉平均時間を時間帯ごとに区分けして記憶させる時間帯区分け部を更に備え、報知手段は前記時間帯区分け部で区分けして記憶した扉開閉平均時間を時間帯ごとに報知する構成としてある。
【００２７】
これにより、使用者は例えば食生活パターに合わせて扉開成平均時間を正確に知ることができ、朝食時間帯の扉開成平均時間を同時間帯の昨日の時間と比較して扉開成平均時間の増減を的確に知ることができ、扉開成平均時間を少なくしようとする意識が効果的に作用し、使用者によるきめ細かな節電行動に結びつけることができて、省エネルギー化を促進することができる。
【００２８】
第７の発明は、第１〜第６の発明において、扉開成平均時間のデータを出力する出力部を、携帯電話等の表示部を備えた携帯端末と近距離データ通信可能な無線送受信部で構成するとともに、携帯端末の表示部を前記扉開成平均時間の報知手段とした構成としてある。
【００２９】
これにより、使用者は携帯電話等の携帯端末を無線送受信部に近づけることによって扉開成平均時間等をその携帯端末の表示部に表示させて知ることができ、冷蔵庫側では表示装置を廃止して、扉開閉回数等の表示用電力の使用自体を削減、すなわち冷蔵庫自体の消費電力も更に抑えることができる。
【００３０】
第８の発明は、第７の発明において、携帯端末はインターネット回線と通信可能に構成し、扉開成平均時間をインターネット回線に接続されたパーソナルコンピュータ等の端末機に表示させる構成としてある。
【００３１】
これにより、例えば会社のパーソナルコンピュータで扉開成平均時間や扉開閉回数／扉開成時間の少なくとも一つを確認できて、家にいる子供やお爺さん等の家族に連絡し節電を進めるように注意を喚起することもできる。
【００３２】
以下、本発明の実施の形態について、図面を参照しながら説明する。なお、この実施の形態によって本発明が限定されるものではない。
【００３３】
（実施の形態１）
この実施の形態では、冷蔵庫に扉開閉回数等のデータを送信する無線送受信部を設け、この無線送受信部に携帯電話等の携帯端末を近づけて、当該携帯端末の表示部に扉開成平均時間等のデータを表示させたり、携帯端末から冷蔵庫の制御データを無線送受信部に送信する構成としたものを例にして説明する。
【００３４】
図１は本発明の実施の形態１における冷蔵庫の使用状態を示す正面図、図２は同冷蔵庫の概略断面図、図３は同冷蔵庫の概略平面断面図、図４は同冷蔵庫の操作部を示す正面図、図５は同冷蔵庫の冷蔵庫制御部と携帯端末の携帯制御部を示す制御ブロック図、図６は同冷蔵庫制御部と携帯制御部における動作を説明するフローチャートである。
【００３５】
図１において、１は冷蔵庫本体で、図２に示すように複数の貯蔵室２，３，４，５，６を備えている。この各貯蔵室は上から冷蔵室２、製氷室３及びその製氷室３の側方に位置する切換室４（冷凍室温度約―１８℃から野菜室温度約６℃まで切替え可能）、冷凍室５、野菜室６となっている。なお、そのレイアウトは必要に応じて適宜設定されるものである。
【００３６】
また、上記冷蔵庫本体１は、主に鋼板を用いた外箱１ａと、ＡＢＳなどの樹脂で成型された内箱１ｂと、外箱１ａと内箱１ｂとの間の空間に充填発泡された硬質ウレタンフォーム１ｃで構成されている。さらに必要に応じて部分的により断熱性能を高めるために真空断熱材１ｄを硬質ウレタンフォーム内に埋設して構成してある。例えば、図２に示すように、製氷室３と切換室４および冷凍室５に対応する背面部の空間内に真空断熱材１ｄを貼り付け、硬質ウレタンフォーム１ｃとの複合体としてある。
【００３７】
また冷蔵庫本体１の天面部は冷蔵庫の背面方向に向かって階段状に凹みを設けた形状とし、この階段状の凹部に機械室７を形成して、当該機械室７に、圧縮機８、水分除去を行うドライヤ（図示せず）等の冷凍サイクルの高圧側構成部品と冷蔵庫制御部ユニット（図示せず）を収容してあり、最下部の野菜室収納容積の拡大を図っている。
【００３８】
また冷凍サイクルの低圧側を構成する冷却器９は冷凍室５の後方に配置し、冷却ファン１０によって冷却器９で生成された冷気を強制送風して各貯蔵室２〜６を冷却するようになっている。
【００３９】
前記各貯蔵室２〜６はそれぞれに対応して設けた扉１１，１２，１３，１４，１５によって開閉されるようになっており、この各扉１１〜１５は手かけ部１６を有するとともに、冷蔵庫本体１と同様硬質ウレタンフォーム１ｃを充填発泡させて構成してある。そしてこれら各扉１１〜１５にはこれに対応して扉開閉検出部（構造を説明する図では図示せず）が設けてあり、その開閉回数と累計開成時間データが冷蔵庫制御部で処理されるようになっている。
【００４０】
ここで、この実施の形態の冷蔵庫は、最上部に位置する冷蔵室２の扉は左右面積の異なる２枚の扉１１ａ、１１ｂからなる観音開き式扉としてあり、これらの左右の扉１１ａ、１１ｂの突き合わせ面部分が最も手前側に突出した凸形状としてある。そしてこの凸部分となる例えば右側扉１１ｂの端部には上下方向にわたって操作ユニット１８が設けてある。
【００４１】
上記の操作ユニット１８には図４に示すように各貯蔵室２〜６の温度設定等を行う静電タッチ式の設定スイッチ１９、及び設定スイッチ１９の上方に配置した設定状態表示部２０とともに、この冷蔵庫ではＲＦＩＤ（Ｒａｄｉｏ  Ｆｒｅｑｕｅｎｃｙ  ＩＤｅｎｔｉｆｉｃａｔｉｏｎ）タグ等からなる無線送受信部２１が設けてある。この実施の形態では無線送受信部２１として使用するＲＦＩＤタグはパッシブタグ方式で通信距離が１００ｍｍ以内のものを用いている。
【００４２】
上記無線送受信部２１は携帯電話、スマートフォンやＰＤＡ等の携帯端末２２とデータの送受信を行うもので、例えば扉開成平均時間と扉開閉回数あるいは扉開成累計時間等のデータを携帯端末２２に出力送信し、逆にインターネット通信経由で携帯端末２２に送られてくる設定温度等の制御データを携帯端末２２から無線送受信部２１が受信するようになっている。
【００４３】
以下、上記無線送受信部２１を含む冷蔵庫制御部と携帯端末２２の携帯制御部との関係を図５、図６を用いて説明する。図５は冷蔵庫の冷蔵庫制御部と携帯端末の携帯制御部を示す制御ブロック図、図６は同制御を説明するフローチャートである。
【００４４】
図５において、２３は前記した扉開閉検出部、２４は前記扉開閉検出部２３で検出した扉開閉回数をカウントする扉開閉回数カウント部、２５はこの扉開閉回数カウント部２４でカウントした回数を記憶する扉開閉回数記憶部、２６は前記扉開閉検出部２３で検出した扉開閉時の扉開成時間（扉が開いている間の時間）を計測する扉開成時間計測部、２７は前記扉開成時間計測部２６で計測した時間を累計記憶する扉開成時間記憶部、２８は扉開成平均時間記憶部で、前記扉開成時間記憶部２７が記憶している扉開成累計時間を扉開閉回数記憶部２５が記憶している扉開閉回数で除して扉開成平均時間を算出する扉開成平均時間算出部２８ａからの扉開成平均時間を記憶している。２９は２４時間時計、３０は前日データ記憶部で、前記扉開成平均時間記憶部２８が記憶している扉開成平均時間とともに扉開成時間記憶部２７が記憶している扉開成累計時間と扉開閉回数記憶部２５が記憶している扉開閉回数を前日データ書き換え部３０ａで書き換え更新して記憶しているものである。
【００４５】
そして２１が前述した無線送受信部で、扉開成平均時間等のデータの出力部となるもので、アンテナ２１ａを一体化したＲＦＩＤタグで構成してある。この無線送受信部２１は
携帯電話、スマートフォンやＰＤＡ等の携帯端末２２が接近してデータ要求するとこれを検出する近接通信検出部３１を具備しており、携帯端末２２からのデータ要求を検出すると無線送受信部２１が誘電して動作するようになっている。したがって、前記無線送受信部２１は携帯端末２２が接近してデータ要求すると近接通信検出部３１によって動作状態となり、上記各記憶部２５，２７，２８が記憶している最新のデータをアンテナ２１ａより外部に送信することになる。
【００４６】
一方、携帯端末２２はこの実施の形態では一般的な携帯電話を用いており、周知の如く近距離通信を行う第１通信部３２とそのアンテナ３２ａ及び通話およびインターネット通信用の第２通信部３４とそのアンテナ３４ａ、これらの通信部を制御する第１、第２通信制御部３５，３６、表示制御部３７等からなる携帯制御部３８、液晶ディスプレイ等の表示部３９、タッチスイッチ等の操作部４０、記憶部４１等からなる。そして、この携帯端末２２は操作部４０の操作によって第１通信制御部３５による近距離通信に切り替えると、データ要求信号を相手方に送信して相手方からのデータを受信可能にするとともに、表示制御部３７が表示部３９の表示を切り替えて第１通信部３２により受信したデータを表示部３９に表示させる、すなわち第１通信部３２のアンテナ３２ａを冷蔵庫の無線送受信部２１に近づけることによって無線送受信部２１からの扉開閉回数等のデータを受信し、表示部３９に表示することができる。
【００４７】
なお、上記携帯端末２２と無線送受信部２１との近距離通信手段としては種々のものがあり、赤外線通信、無線ＬＡＮ、Ｂｌｕｅｔｏｏｔｈ（登録商標）等のいずれのものであってもよいが、市販の携帯電話やスマートフォン等の使用を考慮して、当該携帯電話やスマートフォン同士で電話番号等のデータのやり取りを行う近距離通信手段とするのが好ましく、本実施の形態ではこの近距離通信方式を採用している。
【００４８】
上記構成において、以下その動作を図６の制御フローを用いながら説明する。まず、使用者が貯蔵物の出し入れのために冷蔵庫の扉、例えば冷蔵室２の右側扉１１ｂを開成すると、ステップ１において、扉開閉検出部２３が扉開閉を検出し、ステップ２で扉開閉回数カウント部２４が扉開閉数をカウントするとともに、扉開成時間計測部２６が扉開成時間を累計計測していき、ステップ３で扉開閉回数と扉開成累計時間を記憶する。そして、ステップ４にて扉開成平均時間算出部２８ａがその時点での扉開成平均時間を算出し、ステップ５で扉開成平均時間記憶部２８に記憶していく。
【００４９】
次にステップ６において、近接通信検出部３１がデータ要求されているか否かを確認し、要求がなければステップ７で１日（２４ｈ）が経過したかを確認して、経過していなければステップ１にもどるとともに、経過すればステップ８にてそれまで記憶していた扉開閉回数をリセットし、ステップ１に戻る。
【００５０】
このような状態で使用者が携帯端末２２のアンテナ分を冷蔵庫扉の無線送受信部２１に近づけデータ要求信号を送信する（ステップ９）と、近接通信検出部３１がステップ６でこれを検出し無線送受信部２１が動作を開始し、無線送受信部２１がステップ１０で扉開成平均時間記憶部２８が記憶している扉開成平均時間、扉開閉回数カウント部２４が記憶している扉開閉回数、扉開成時間記憶部２７が記憶している扉開成累計時間を取得し、ステップ１１においてそのデータを送信する。すなわち、携帯端末２２を近づけたときの扉開成平均時間と、扉開閉回数、扉開成累計時間を取得し、そのデータを送信する。これにより携帯端末２２はステップ１２でそのデータを受信し、ステップ１３においてそのデータを表示部３９に表示する。
【００５１】
したがって、使用者はこの表示部３９を見ることによって本日の扉開成平均時間とこの実施の形態では扉開閉回数と扉開閉累計時間を知ることができ、扉開成平均時間が多いと
以降の扉開閉平均時間を少なくしようと気をつけて節電行動が促進されることになる。
【００５２】
この扉開成平均時間はすでに述べたように圧縮機の起動運転に直結しており、この扉開成平均時間が短くなることによって圧縮機の運転時間を確実に少なくすることができ、的確な節電行動をとることになって、その省エネ効果は向上する。特に引出式の扉を備えた冷凍室や野菜室の場合に大きな省エネ効果に結びつけることができる。すなわち、この引出式の扉の収納室の場合は、従来例でも述べたように引出式の扉を開くことによって冷凍室や野菜室内の食品がすべて冷蔵庫外まで引き出されて露出し、長く開放されていると、引き出された冷凍室や野菜室内部に外部の暖気が流入して食品温度が上昇するなど冷却負荷が大きく増大してしまう。その結果圧縮機が起動するだけでなく当該圧縮機の駆動時間が長時間化し、節電どころか逆に電力消費量が増大してしまうが、本発明によれば１回たりの扉開成時間を知らせることができるので、使用者は１回たりの扉開成時間を短くするような行動をとることになり、その結果節電効果が大きくなって省エネ性が大きく向上するのである。
【００５３】
また、使用者の節電行動は一回当たりの扉開成時間を短くする行動をとる傾向になるため、使用者は食品の取り出し機会を無理やり少なくすることなく節電を推進することができ、使用性を維持しつつ省エネを図ることができる。
【００５４】
また、この実施の形態では、扉開成平均時間とともに扉開閉回数記憶部２５が記憶している扉開閉回数をも表示するので、使用者が扉開成平均時間とともに扉開閉回数も同時に知ることができて、使用者が扉開閉回数を少なくする方向の節電行動をとることも促進でき、より省エネ性を向上させることができる。
【００５５】
加えて、扉開成平均時間、扉開閉回数とともに扉開成時間記憶部２７からの扉開成累計時間も表示するので、使用者が一日当たりの扉開成累計時間も知ることができて、扉開成累計時間自体も少なくする方向の節電行動をとることになっていき、さらなる省エネ性の向上を図ることができる。
【００５６】
また、この実施の形態では、前日の扉開成平均時間を記憶する前日データ記憶部３０を備えていて、表示部３９は前日との比較で扉開成平均時間を表示するので、扉開成平均時間を前日と比較して正確に知ることができ、より確実に節電行動に結びつけることができて、省エネルギー化を促進することができる。
【００５７】
この表示部３９による表示は前記した扉開閉回数／扉開成累計時間のいずれか一つ若くしは双方も同時に表示するので、扉開成平均時間と扉開閉回数／扉開成累計時間のいずれか一つ若しくは双方とを前日と比較して正確に知ることができ、扉開成平均時間を単独で表示する場合以上に確実に節電行動に結びつけることができて、省エネ化を促進することができる。
【００５８】
更に、この実施の形態では、携帯電話等の表示部３９を備えた携帯端末２２と近距離データ通信可能な無線送受信部２１で通信システムを構築し、携帯端末２２の表示部３９を前記扉開成平均時間の表示手段としているので、使用者は携帯電話等の携帯端末２２を無線送受信部２１に近づけることによって扉開成平均時間等をその携帯端末２２の表示部３９に表示させて知ることができ、冷蔵庫側では表示装置を廃止して、扉開閉回数等の表示用電力の使用自体を削減、すなわち冷蔵庫自体の消費電力も更に抑えることができる。
【００５９】
加えて上記実施の形態では冷蔵庫側に近接通信検出部３１を設けて当該近接通信検出部３１がデータ要求されていることを検出した場合のみ無線送受信部２１が誘電してデータを送信するので、無線送受信部２１が電力を消費することもなく、その分さらなる省エネ
ルギー化が図れる。
【００６０】
また、携帯端末２２はインターネット回線と通信可能に構成し、扉開成平均時間をインターネット回線に接続されたパーソナルコンピュータ等の端末機に表示させる構成としてあり、例えば会社のパーソナルコンピュータで扉開成平均時間や扉開閉回数／扉開成時間の少なくとも一つを確認できて、家にいる子供やお爺さん等の家族に連絡し節電を進めるように注意を喚起することもできる。
【００６１】
加えて、携帯端末２２を介して取り込んだ扉開成平均時間や扉開閉回数／扉開成時間等の情報をインターネットのサーバ等に蓄積し、他の家庭の扉開成平均時間や扉開閉回数／扉開成時間等の情報と比較した形で表示部３９に表示させたり、ランキング化して表示したり、過去の情報と比較して表示させたりすることもできる。
【００６２】
そして、上記各情報はインターネットのサーバ等に蓄積しておくことができるので、冷蔵庫側のメモリー容を増大させたり、制御シーケンスを複雑化させたりすることなく実現することができる。
【００６３】
なお、この実施の形態の冷蔵庫では、上記無線送受信部２１は冷蔵庫最上位となる貯蔵室２の扉、すなわち、複数ある貯蔵室のうち最上部の扉に設けてあるから、下部に位置する扉に設けた場合のような障害、すなわち、無線送受信部２１を設けた扉より上の扉を開けた時に漏れ落ちてくる冷気が無線送受信部２１に触れてその表面に結露が生じ、通信状態の劣化や部品信頼性の低下等の障害を引き起こすことがない。
【００６４】
加えて、上記無線送受信部２１は複数ある貯蔵室のうちの冷蔵室２に対応する扉に設けてあり、この冷蔵室２は製氷室３や冷凍室５よりも庫内温度が高いので庫内冷気による影響を少なく抑えることができる。したがって、無線送受信部２１の表面と内部の温度差は小さく抑えられ、結露が発生するのを抑制することができ、通信状態の劣化や部品信頼性の低下等の障害を少なくすることができる。
【００６５】
更に、上記無線送受信部２１は右側扉１１ｂの端部に設けた操作ユニット１８に組み込んであり、使用者が日常的に行う扉への掲示物の張りつけが扉中央部分にあってもこれが無線送受信部２１表面にかぶさる等して通信障害を引き起こす恐れも少なく、確実な通信性能の確保が図れる。
【００６６】
また、上記無線送受信部２１は観音開き式の扉とした貯蔵室２の面積の大きな右側扉１１ｂに設けてあり、無線送受信部２１の庫内冷気による障害の発生をより少なくすることができる。すなわち、使用者には比較的右利きの人が多く、右側扉１１ｂはこの右利きの使用者が開閉する頻度が高くなるが、この右側扉１１ｂが開いて庫内の冷気が漏れ出した場合、この冷気は右側扉１１ｂとは反対側の左側扉１１ａの表面に拡散する可能性が高く、漏れ出した冷気から見て裏側となる右側扉１１ｂの表面側（無線送受信部２１の設置側）まで廻り込む可能性は非常に少ない。したがって、この右側扉１１ｂに設けられている無線送受信部２１に冷気が触れる可能性はほとんどなくなり、その表面に結露が生じることなどで生じる通信状態の劣化や部品信頼性の低下等の障害を抑制することができる。これは面積の大きな扉を開いたときほど多くの冷気が漏れ出すので効果的である。
【００６７】
加えて、無線送受信部２１を設けた貯蔵室２の右側扉１１ｂはこれに対応して自動扉開閉機構１７を設けてあり、しかも無線送受信部は手かけ部１６から離れた位置であって、当該手かけ部１６よりも上方の位置に配置してあるから、濡れ手でドアに触ってもこの濡れ手の水が扉に付着する量は少なく、かつ無線送受信部から離れているから、この水によって無線送受信部２１が濡れたりすることがなく、通信状態の劣化や部品信頼性の低下等
の障害をより少なくすることができる。
【００６８】
（実施の形態２）
図７は実施の形態２を示し、この実施の形態は前記２４時間時計２９からの時間出力に基づいて複数の時間帯に区分けする時間帯区分け部４４を更に有し、例えば朝食、昼食、夕食、就寝時の４つの時間帯に区分して、各記憶部２５，２７，２８が前記時間帯区分け部４４で区分けした時間帯ごとに扉開閉回数、扉開成累計時間、扉開成平均時間を記憶するようにしてある。なお、時間帯は例えば朝食は６：００〜１１：００、昼食は１１：００〜１６：００、夕食は１６：００から２３：００、就寝時は２３：００から６：００で設定してあるが、これは一例であってその時間は変更可能であり、特に使用者が設定できるようにしておけば使い勝手の向上が図れる。
【００６９】
この実施の形態２によれば使用者は時間帯ごと、例えば朝食時間帯であれば朝食時間帯の扉開閉回数、扉開成累計時間、扉開成平均時間を正確に把握できるから、使用者としてはこの朝食時間帯で扉開閉回数、扉開成累計時間、扉開成平均時間が長いのか短いのかを的確に知ることができる。しかもその回数は前日と比較して知ることができる。すなわち当日と前日の同時間帯のデータが表示されるので、使用者は同時間帯の増減を前日と比較して正確に把握することができ、より効果的に節電行動をとることができるようになる。
【００７０】
（実施の形態３）
図８は実施の形態３を示し、この実施の形態３は表示部４３を冷蔵庫本体１の扉１１ｂに設けたもので、その他の構成は実施の形態１と同様であり、説明は省略する。
【００７１】
この実施の形態２においても先の実施の形態１と同様、使用者は表示部４３を見ることによって扉開成平均時間等を知ることができ、その扉開成平均時間が長い時には以降の扉開成平均時間が短くなるように気をつけて節電行動がとられ省エネ化が促進されることになる。
【００７２】
もちろん、前記実施の形態２の構成もこの実施の形態３と同様に表示部４３を冷蔵庫本体に設けてもよいものである。
【００７３】
以上のようにこの実施の形態で説明した冷蔵庫は圧縮機の運転に直結する扉開成平均時間を知ることができて的確な省エネルギー化が推進できるものであるが、上記実施の形態で説明したものは本発明を実現する一形態であり、本発明の目的達成範囲内であれば種々変更可能である。
【００７４】
例えば、上記実施の形態においては節電啓蒙のための報知を表示によって行うものとしたが、これは例えば音声等によって行うものとしてもよく、報知するデータも扉開成平均時間とともに扉開閉回数と扉開成累計時間の双方を報知するようにしたが、この扉開閉回数と扉開成累計時間はいずれか一方であってもよいものである。
【００７５】
また、上記各実施の形態では無線送受信部２１は送信機能のみの場合で説明したが、受信機能を利用して、例えば携帯端末２２側から無線送受信部２１に設定温度データを送信して庫内温度を変更できるようにするなどの展開が考えられる。
【００７６】
更に、送受信機能を活用する一例としては、扉の無線送受信部が扉開閉検出部を兼用する構成としてもよく、これによって構成の簡素化が図れる。そして、扉開閉検出部も全部の扉に対応して設けるのが好ましいものの、適宜、例えば開閉頻度の高い一つもしくは幾つかの扉に設けるなどしてもよいものである。
【産業上の利用可能性】
【００７７】
以上のように本発明の冷蔵庫は、節電に直結する情報を使用者に報知して的確な節電啓蒙が可能となり、使用者が行う節電行動も的確なものとなって、効果的に節電を図ることが可能となり、使用性を維持しつつ省エネルギー性の高い冷蔵庫とすることができる。
【符号の説明】
【００７８】
１  冷蔵庫本体
２，３，４，５，６  貯蔵室
２  冷蔵室
７  機械室
８  圧縮機
９  冷却器
１０  冷却ファン
１１，１２，１３，１４，１５  扉
１６  手かけ部
１７  自動扉開閉機構
１８  操作ユニット
１９  設定スイッチ
２０  設定状態表示部
２１  無線送受信部
２１ａ  アンテナ
２２  携帯端末
２３  扉開閉検出部
２４  扉開閉回数カウント部
２５  扉開閉回数記憶部
２６  扉開成時間計測部
２７  扉開成時間記憶部
２８  扉開成平均時間記憶部
２８ａ  扉開成平均時間算出部
２９  ２４時間時計
３０  前日データ記憶部
３０ａ  前日データ書き換え部
３１  近接通信検出部
３２  第１通信部
３２ａ  アンテナ
３４  第２通信部
３４ａ  アンテナ
３５  第１通信制御部
３６  第２通信制御部
３７  表示制御部
３８  携帯制御部
３９  表示部（報知手段）
４０  操作部
４１  記憶部
４３  表示部（報知手段）
４４  時間帯区分け部
【図１】
2013238346.tif 000003
【図２】
2013238346.tif 000004
【図３】
2013238346.tif 000005
【図４】
2013238346.tif 000006
【図５】
2013238346.tif 000007
【図６】
2013238346.tif 000008
【図７】
2013238346.tif 000009
【図８】
2013238346.tif 000010
【図９】
2013238346.tif 000011